(57)【特許請求の範囲】
【請求項１】
抗原および／または抗体が結合した担体を収容した反応室を有する分析装置を、前記分析装置外の回転軸に対して公転させることにより、検体および試薬を前記反応室に送液して、前記反応室内の被検物質量を測定する免疫分析方法であって、異なる２つ以上の公転速度により前記分析装置を公転させて前記分析装置に対し異なる２以上の遠心力を与え、前記異なる２以上の遠心力のうち最大の遠心力を最小の遠心力の２．５倍以上とすることにより、被検物質を希釈することによる測定範囲の調整を行わずに、該被検物質について、測定範囲の異なる２以上の測定結果を得る免疫分析方法。
【請求項２】
前記異なる２つ以上の遠心力を与えるにあたり、異なる２つ以上の回転半径により前記分析装置を公転させる、請求項１に記載の免疫分析方法。
【請求項３】
前記反応室内の被検物質量を測定するにあたり、被検物質の検出を光学的手段を用いて行うことを特徴とする請求項１又は２のいずれか一項に記載の免疫分析方法。
【請求項４】
前記光学的手段が蛍光測定であることを特徴とする請求項３に記載の免疫分析方法。
【請求項５】
前記光学的手段が発光測定であることを特徴とする請求項３に記載の免疫分析方法。
【請求項６】
前記光学的手段が吸光度測定であることを特徴とする請求項３に記載の免疫分析方法。
【請求項７】
前記反応室内の被検物質量を測定するにあたり、放射線検知手段を用いて行うことを特徴とする請求項１又は２に記載の免疫分析方法。
【請求項８】
前記分析装置が、抗原および／または抗体が結合した担体を収容する反応室を有し、遠心分離器のアングルローターおよび／またはスイングローターに装着可能である免疫分析チップであることを特徴とする請求項１〜７のいずれか一項に記載の免疫分析方法。
【請求項９】
前記免疫分析チップは、前記反応室に通じ、反応室と反対側に開口部を有する試薬・検体リザーバを更に備えるチップである、請求項８に記載の免疫分析方法。
【請求項１０】
前記被検物質が、サイトカインおよび／またはケモカインである請求項１〜９のいずれか一項に記載の免疫分析方法。
【請求項１１】
前記被検物質が、ＩＬ−６、ＩＬ−８、またはＴＮＦである請求項１〜１０のいずれか一項に記載の免疫分析方法。
【発明の詳細な説明】
【技術分野】
【０００１】
本発明は免疫分析方法に関し、詳しくは、検体中の被検物質量にかかわらず迅速かつ正確な分析の可能な免疫分析方法に関する。
【背景技術】
【０００２】
検体中の微量の被検物質を分析するための免疫分析において、Ｌａｂ−ｏｎ−ｃｈｉｐ（μＴＡＳ）と呼ばれる小型のチップの利用が提案されている。近年、このような回転による遠心力を利用して送液させるチップに関する技術が開発されている。
【０００３】
例えば、特許文献１には、２つまたはそれ以上のマイクロチャンネル構造体の第１の集合を有し、マイクロチャンネル構造体それぞれが有する特定の構造ユニットが、マイクロ導路で接続されているマイクロ流体デバイスを、回転させることによって遠心力を利用して液体を流して、化学的、生物学的化学領域内の合成、分解準備などを行う技術が記載されている。さらに、特許文献２には、微細チャンネルを埋設した微量システムプラットホームを回転させて、これにより生じる向心力を利用してプラットホーム上の流体運動を誘導する技術が記載されている。
【０００４】
【特許文献１】特表２００５−５０７７６２号公報
【特許文献２】特表２０００−５１４９２８号公報
【発明の開示】
【発明が解決しようとする課題】
【０００５】
しかし、上述の従来技術では、チップの構造が複雑であり、また、特別な送液装置を必要とするため、検体と試薬や基質等との接触時間や接触量等の条件を制御することが難しいという問題があった。特にＥＬＩＳＡ法の場合、測定できる範囲（ダイナミックレンジ）が狭いため、検体中の被検物質濃度が高い場合には希釈系列を作成してから測定する必要があり、短時間で簡便な測定をするための手段が望まれていた。また、被検物質濃度を下げる目的で行う希釈作業により、血液などの生体由来の検体と希釈液の組成の違いにより、被検物質の測定結果に誤差が生じる現象が見受けられることがあった。
本発明は、このような従来の問題点に鑑み、検体と試薬や基質等との接触時間や接触量等の条件の制御が容易であり、被検物質濃度にかかわらず効率よい分析が可能な免疫分析方法の提供を目的とする。一方、測定誤差や作業間違いの原因となる、被検物質濃度を下げる目的で行う希釈溶液を用いた希釈作業を必要とせず、希釈による被検物質の測定結果の誤差を引き起こさない免疫分析方法を提供することも目的とする。
【課題を解決するための手段】
【０００６】
本発明は、以下の〔１〕〜〔１２〕を提供するものである。
〔１〕  抗原および／または抗体が結合した担体を収容した反応室を有する分析装置を、前記分析装置外の回転軸に対して公転させることにより、検体および試薬を前記反応室に送液して、前記反応室内の被検物質量を測定する免疫分析方法であって、前記分析装置に対し異なる２以上の遠心力を与えることにより、測定範囲の異なる２以上の被検物質の測定結果を得る免疫分析方法。
〔２〕  前記異なる２つ以上の遠心力を与えるにあたり、異なる２つ以上の公転速度により前記分析装置を公転させる、〔１〕に記載の免疫分析方法。
〔３〕  前記異なる２つ以上の遠心力を与えるにあたり、異なる２つ以上の回転半径により前記分析装置を公転させる、〔１〕に記載の免疫分析方法。
〔４〕  前記反応室内の被検物質量を測定するにあたり、被検物質の検出を光学的手段を用いて行うことを特徴とする〔１〕〜〔３〕のいずれか一項に記載の免疫分析方法。
〔５〕  前記光学的手段が蛍光測定であることを特徴とする〔４〕に記載の免疫分析方法。
〔６〕  前記光学的手段が発光測定であることを特徴とする〔４〕に記載の免疫分析方法。
〔７〕  前記光学的手段が吸光度測定であることを特徴とする〔４〕に記載の免疫分析方法。
〔８〕  前記反応室内の被検物質量を測定するにあたり、放射線検知手段を用いて行うことを特徴とする〔１〕〜〔３〕のいずれか一項に記載の免疫分析方法。
〔９〕  前記分析装置が、抗原および／または抗体が結合した担体を収容する反応室を有し、遠心分離器のアングルロータおよび／またはスイングロータに装着可能である免疫分析チップであることを特徴とする〔１〕〜〔８〕のいずれか一項に記載の免疫分析方法。
〔１０〕  前記免疫分析チップは、前記反応室に通じ、反応室と反対側に開口部を有する試薬・検体リザーバを更に備えるチップである、〔９〕に記載の免疫分析方法。
〔１１〕  前記被検物質が、サイトカインおよび／またはケモカインである〔１〕〜〔１０〕のいずれか一項に記載の免疫分析方法。
〔１２〕  前記被検物質が、ＩＬ−６、ＩＬ−８、またはＴＮＦである〔１〕〜〔１１〕のいずれか一項に記載の免疫分析方法。
【発明の効果】
【０００７】
本発明の免疫分析方法によれば、測定範囲の異なる２以上の測定結果を容易に得ることができるので、検体中の被検物質の量にかかわらず、正確な分析が可能である。加えて、測定誤差や作業間違いの原因となる、被検物質濃度を下げる目的で行う希釈溶液を用いた希釈作業を必要とせず、希釈による被検物質の測定結果の誤差を引き起こさない免疫分析方法を提供することも可能となる。
【発明を実施するための最良の形態】
【０００８】
本発明において免疫分析方法とは、検体中の被検物質を、抗原抗体反応を利用して分析する手法を意味し、その代表的なものとしてＥＬＩＳＡ（Ｅｎｚｙｍｅ−Ｌｉｎｋｅｄ  Ｉｍｍｕｎｏｓｏｒｂｅｎｔ  Ａｓｓａｙ  固相酵素免疫検定法）、ＲＩＡ（Ｒａｄｉｏｉｍｍｕｎｏａｓｓａｙ  放射線免疫検定法）、ＦＩＡ（Ｆｌｕｏｒｅｓｃｅｎｃｅｉｍｍｕｎｏａｓｓａｙ  蛍光免疫検定法）、ＦＬＩＳＡ（Ｆｌｕｏｒｅｓｃｅｎｃｅ−Ｌｉｎｋｅｄ  Ｉｍｍｕｎｏｓｏｒｂｅｎｔ  Ａｓｓａｙ  固相蛍光免疫検定法）を挙げることができる。
【０００９】
分析の方法としては
１）標識した抗体により目的とする物質を直接認識し検出する直接法、
２）目的とする物質を抗体により認識し、目的物質と結合した抗体を、標識した抗体により認識し検出する間接法、
３）競合法、
４）目的とする物質を固相化した抗体（１次抗体）により捕捉し、さらに別の標識した抗体（２次抗体）により検出する二抗体サンドイッチ法、
５）目的とする物質を固相化した抗体により捕捉し、さらに別の抗体により目的とする物質を認識し、目的とする物質を認識した抗体を標識した抗体により検出する三抗体サンドイッチ法、
等が挙げられる。
また、ＡＢＣ法などの、アビジン、ストレプトアビジン等を用いて、被検物質を検出する手法を利用しても良い。
【００１０】
免疫分析方法における免疫分析における被検物質は、タンパク質、糖、脂質、核酸、糖タンパク質、糖脂質など、抗原や抗体と特異的に結合する物質であればいずれであってもよい。例えばサイトカイン、ケモカイン、インターロイキン、アレルゲン、ＤＮＡ、ＲＮＡ、抗体、脂質、酵素、その他化学物質等を挙げることができる。特に、ＩＬ−６、ＩＬ−８、ＴＮＦが好ましい。被検物質の由来生物は問わない。被検物質は１種類であってもよし、２種類以上であってもよい。
【００１１】
また、免疫分析方法の目的は特に限定されず、検体中の被検物質の有無の検出、被検物質の定量などが挙げられる。本発明における免疫分析は、臨床検査、食品検査、環境検査などにおける分析に用いることができる。
【００１２】
検体とは、前記被検物質を含む可能性がある試料をいい、液体であることが好ましい。例えば、血液、尿、髄液、唾液、痰、細胞懸濁液などの体液をはじめとする生体から採取される液体を挙げることができる。
【００１３】
本発明の免疫分析方法においては、抗原および／または抗体を結合する担体を収容する反応室を有する分析装置を前記分析装置外の回転軸を公転させることにより、検体および試薬を前記反応室に送液して、検体中の被検物質を分析する。
【００１４】
本発明においては、抗原および／または抗体を結合する担体を収容する反応室を有する分析装置を用いる。反応室の形状およびサイズは、抗原および／または抗体を結合する担体を収容できればよい。形状は管状であることが好ましく、管の横断面は円、多角形等特に限定されない。反応室のサイズは、検体中の被検物質が、担体の抗原および／または抗体に幅がある程度狭いことが望ましく、横断面の短径が通常０．１〜１ｍｍ、好ましくは０．２〜０．５ｍｍであり、長さが通常０．５〜１０ｍｍ、好ましくは０．５〜５ｍｍである。
【００１５】
反応室には、抗原および／または抗体が結合した担体が収容される。担体の収容数は１つ以上であればよく、免疫分析の効率を上げる観点から、複数の担体を収容することが好ましい。また、複数の担体を反応室に収容することにより、液体に対して圧力損失を生じるため、試薬・検体リザーバに液体を注入しても重力による作用だけでは液体は反応室を通じて流出しないという効果もある。
【００１６】
担体の形状は、球状、楕円球状などのマイクロビーズのほか、円柱、多角柱などのいわゆるマイクロロッド、板状のマイクロプレートであってもよい。
担体のサイズは、反応室のサイズによるが、担体の形状にかかわらず、短径が１〜１０００μｍ、好ましくは１０〜２００μｍの範囲であることが好ましい。
【００１７】
担体の材料は特に限定されず、ガラス、セラミック（例えばイットリウム部分安定化ジルコニア）、金属（例えば金、白金、ステンレス）、樹脂（例えばナイロンやポリスチレン、ポリビニルアルコール、ポリメチルメタクリレート、ポリアクリルアミド）、アガロース等を用いることができるが、この中でも樹脂、特にポリスチレンが好ましい。
反応室に複数の担体が収納される場合、各担体の形状、サイズ、素材は均一であってもよいし、多様であってもよい。また、反応室に格納する担体のすべてに抗原および／または抗体が結合されている必要はなく、何も結合しない担体が一部含まれていてもよい。
【００１８】
担体に結合させる抗原および／または抗体は、種々の抗体、ＦａｂフラグメントやＦ（ａｂ'）２フラグメントのような抗体の抗原結合性断片、並びに種々の抗原などの中から、免疫分析における検体中の被検物質に特異的に結合する抗原や抗体を適宜選択することができ、１種類であっても、また複数であってもよい。抗原や抗体の担体への結合密度、結合数、結合様式などに特に制限はない。
【００１９】
担体に抗原および／または抗体を結合させる方法は、例えば、担体と抗原や抗体とを緩衝液等の溶液中で混合し接触し結合させる方法によることができる。接触による結合は、通常１時間〜２４時間（日）、低温、一般には４〜３７℃の条件で、必要に応じて攪拌しながら実施することができる。得られた担体は、使用前に緩衝液、洗浄液等で洗浄してもよい。尚、結合方法はこれに限定されず、例えば抗原や抗体と担体とを親水性ポリマー（ポリエチレンイミン、ポリエチレングリコール、ポリビニルアルコール、ポリスルホン酸ナトリウム等）を含む架橋剤を使って化学的に結合させる方法などを利用することもできる。
【００２０】
反応室には、免疫分析のための検体や試薬が送り込まれる。検体についてはすでに説明したとおりである。試薬とは、免疫分析の際に用いられる検体以外の化学物質や薬剤を意味する。例えば、被検物質の検出等のための薬剤、物質、洗浄液などであり、更に具体的には、蛍光や酵素で標識された標識抗体（二次抗体）、抗原、結合性タンパク質、蛍光基質等を挙げることができる。
【００２１】
本発明の免疫分析方法においては、上述の分析装置を装置外の回転軸を公転させることにより検体および試薬を分析装置の反応室に送液して、検体中の被検物質を分析するが、送液の際に、前記分析装置に対し異なる２以上の遠心力を与えることにより、測定範囲の異なる２つ以上の被検物質の測定結果を得ることを特徴とする。すなわち、分析装置を公転させることにより生じる遠心力を利用して、反応室に検体と試薬を送液すると共に、反応室に収納された担体に結合した抗原および／または抗体に、検体中の被検物質、試薬を順次結合させた後、被検物質の濃度を測定する検体の免疫分析操作を、異なる２以上の遠心力を利用して同時又は順次行い、測定範囲の異なる２つ以上の被検物質の測定結果を得るものである。
【００２２】
本発明の免疫分析方法における、分析装置の回転方向は、前記分析装置外の回転軸を公転する方向となるように調整する必要がある。すなわち、回転軸は分析装置の外側にあり、この回転軸を中心とした軌道に沿って分析装置の、少なくとも反応室が回転する（公転する）ことが必要である。軌道は略円形であればよく、楕円軌道などであってもよい。
【００２３】
本発明においては、分析装置に対し異なる２つ以上の遠心力を与えることにより、測定範囲の異なる２つ以上の被検物質の測定結果を得る。これにより、被検物質濃度に応じた正確な測定結果を得ることができる。
異なる２つ以上の遠心力の具体的な数値は、分析装置、被検物質の種類や被検物質の検体中の濃度、測定方法などの諸条件に応じて適宜選択することができる。また、異なる２つ以上の遠心力の具体的な数値は、異なる測定範囲の測定結果を得られるよう設定する必要がある。
【００２４】
分析装置に対し異なる２つ以上の遠心力を与えるための手法としては、例えば、（１）異なる２つ以上の公転速度により前記分析装置を公転させる手法、（２）異なる２つ以上の回転半径により前記分析装置を公転させる手法、（３）公転速度および回転半径のいずれかが異なる２以上の組み合わせにより前記分析装置を公転させる手法、を挙げることができる。公転速度については、公転速度が速いほど高い遠心力が得られ、速度が遅いほど低い遠心力が得られる。一方、回転半径については、回転半径が大きいほど高い遠心力が得られ、回転半径が小さいほど低い遠心力が得られる。異なる２つ以上の回転半径により分析装置を公転させることにより、一つのローターを用いて、一度の公転操作で、同時に２つ以上の遠心力を分析装置に与えることが出来る。そのため、測定を一度で行えることから、測定時間の短縮効果がある。更に、ローターを一つ用いるだけで測定が行えることにより、コスト面でのメリットが生じる効果もある。
【００２５】
分析装置に対し異なる２つ以上の遠心力を与える処理は、同時にあるいは順次行うことができる。２以上の分析装置を用意して、遠心力が相違する以外は同じ条件として、同時に行うことができる。また、１つの分析装置を用いて、或いは測定条件ごとに分析装置を用意して、遠心力を変えて２回以上行うこともできる。
【００２６】
分析装置に対し異なる２つ以上の遠心力を与えることによる、被検物質の測定結果は、測定範囲（検体中の被検物質の濃度範囲）の異なるものとなる。通常、分析装置に高い遠心力（例えば、１０００〜５０００Ｇ）を与えると、検体及び試薬が反応室中を高速で送液されることにより、測定上限が高濃度まで拡大し、広い濃度領域の測定結果を得ることができる。一方、分析装置に低い遠心力（例えば、１０〜５００Ｇ）を与えると、検体及び試薬が反応室中を低速で送液されることにより、測定上限は低くなるが、低濃度領域を正確に測定することができる。
【００２７】
本発明において測定範囲が異なるとは、測定範囲に一部でも重複しない範囲があればよいことを意味し、測定上限が様々な数値となるような測定範囲の測定結果を得ることが望ましい。例えば、測定上限として１０倍離れるような測定範囲で測定を行えば、被検物質の溶液を希釈する作業が省略できる点からより好ましい。
【００２８】
本発明の測定方法においては、これらの測定結果を参照して、あるいは両方の測定結果を参照して被検物質の濃度（量）を得ることができる。すなわち、得られる測定結果すべてにおいて濃度が判明すれば、いずれの結果からも被検物質濃度を得ることができる。一方、測定結果のうちいずれかにおいて濃度が測定範囲を逸脱していれば、それ以外の測定結果から被検物質濃度を得ることができる。
【００２９】
本発明の免疫分析方法において抗原および／または抗体を結合する担体を収容する反応室を有する分析装置を前記分析装置外の回転軸に対して公転させるにあたり、具体的には、異なる２以上の遠心力を設定し、各遠心力により以下の（ａ）および（ｂ）の２工程を、同時に、或いは順次実施することが好ましい。
（ａ）  前記チップを公転させることにより生じる遠心力を用いて検体を前記反応室に通過させ、被検物質を前記抗原および／または抗体が結合した担体に結合せしめる工程、および
（ｂ）  前記チップを公転させることにより生じる遠心力を用いて標識用の試薬を含む溶液を反応室に通過させる工程
（ａ）工程においては、検体のほか、各種の試薬をあわせて添加することができる。（ｂ）工程においては、標識用の試薬として酵素標識または蛍光標識を有する標識抗体を含む溶液を用いることができる。
【００３０】
また、抗原および／または抗体を結合する担体を収容する反応室を有する分析装置を前記分析装置外の回転軸に対して公転させる工程は、以下の１工程（Ａ）により実施するものであってもよい。
（Ａ）  前記チップを公転させることにより生じる遠心力を用いて検体・試薬を、被検物質を前記抗原および／または抗体が結合した担体に結合せしめる工程。
ここでいう試薬とは、酵素標識または蛍光標識を有する標識抗体などの標識試薬などを含む意味である。
【００３１】
本発明の免疫分析方法においては、上述の分析装置の反応室内の被検物質量の測定を、光学的手段、放射線検知手段を用いて行うことが好ましく、特に光学的手段を用いて行うことが好ましい。これらの手段による測定においては上述のような被検物質濃度と測定上限との問題が生じやすいが、本発明に基づいて測定すれば問題が解消できるので、本発明の目的が達成されるためである。光学的手段としては、例えば、蛍光測定、発光測定、吸光度測定を挙げることができ、好ましくは蛍光測定が挙げられる。
【００３２】
上記のような分析装置として最も好ましいものとして、抗原および／または抗体が結合した担体を収容する反応室を有し、遠心分離器のアングルローターおよび／またはスイングローターに装着可能であることを特徴とする免疫分析チップが挙げられる。
【００３３】
前記免疫分析チップの第１のタイプとしては、遠沈管内部に挿入嵌合が可能なものを挙げることができる。すなわち、遠沈管内部に嵌合させた状態で遠心分離器のアングルローターおよび／またはスイングローターに装着可能なタイプであってもよい。このタイプのチップの場合には、遠沈管内に本発明のチップを入れた場合に、遠沈管の内壁面にチップが固定される。言い換えれば、免疫分析チップの外側面のいずれかの点または面が遠沈管の内壁面の任意の点または面で固定される。代表的なものとしては、図１〜図４、図７のそれぞれに示す免疫分析チップＡ、Ｂ、Ｃ、Ｄ、Ｆを挙げることができる。これらのチップは、図８に示すように遠沈管に挿入し嵌合させて用いることができる。
【００３４】
一方、前記免疫分析チップの第２のタイプとしては、遠心分離機のアングルローターやスイングローターの遠沈管装着部位にそのまま装着できるタイプのものを挙げることができる。代表的なものとしては、図５や図６に示す免疫分析チップＥを挙げることができる。
【００３５】
ここで、本発明において遠沈管とは、遠心機に適用可能ないわゆる試験管（通常は、キャップのついたもの）を意味し、遠心チューブ、コニカルチューブ、エッペンドルフチューブなどと呼ばれるものをすべて含む。遠心機も遠沈管に対応するものであれば特に限定はなく、遠沈管を装着できるものであれば、小型の卓上型遠心機などでよい。
【００３６】
上記免疫分析チップの反応室の形状およびサイズは、抗原および／または抗体が結合した担体を収容することができればよい。形状は管状であることが好ましく、管の横断面は円、多角形等特に限定されない。反応室のサイズは小さいほど、抗原および／または抗体が結合した担体の量を少なくしてコストダウンを図り、かつリザーバとの容積比を大きくすることを容易にし、市販の遠心機に装着可能なサイズでおおきな濃縮効果が得られる。反応室の容積は、通常は１ｎＬ〜１００μＬ、好ましくは１０ｎＬ〜１０μＬである。
【００３７】
上記免疫分析チップにおける反応室について、図１、図５および図６に示す実施例に基づいて説明する。図１の免疫分析チップＡは、反応室１１が後述の試薬・検体リザーバ１２に連結して設けられており、試薬・検体リザーバ１２の開口部１２Ａと反対側に開口部１１Ａを有する。反応室１１には、抗原および／または抗体を結合する担体１３が収納されている。また、図５および図６の免疫分析チップＥの反応室１１は、免疫分析チップＥの中部の管壁に隣接して設けられており、試薬・検体リザーバ１２の開口部１２Ａと反対側に開口部１１Ａを有する。
【００３８】
上記免疫分析チップにおいて、反応室は、開口部（第２の開口部）を備えることができる。開口部の位置は、後述の試薬・検体リザーバを設ける場合には該リザーバと反対側であることが望ましい。この開口部には、更に担体の堰き止め手段を設けることができ、これによりチップから担体が漏れないよう保持することができる。堰き止め手段としては、例えば金網やフィルタを用いることができる。金網の場合、適当なサイズの金網（例えば開口部分が２０μｍ×２０μｍのもの）を開口部にプレスして堰き止め手段とすることができる。また、フィルタの場合はセルロース・アセテート製フィルタ等を開口部に圧入して得ることができる。尚、堰き止め手段は金網には限定されず、フィルタ、キャップ等を用いることができる。
【００３９】
反応室の開口部を堰き止め手段としてのフィルタで塞いだ場合を図２の実施例を例にとって説明する。図２は、本発明の実施例の免疫分析チップＢの縦断面を模式的に示す図である。反応室１１の開口部１１Ａ´は、反応室１１よりも幅が広く取られており、この部分１１Ａ´にフィルタが圧入される。尚、堰き止め手段を設けるにあたり開口部の幅が広く取られている必要はなく、図１の免疫分析チップＡなどの開口部１１Ａや、図５及び図６に示す免疫分析チップＥの開口部１１Ａにおいてに金網を開口部にプレスして堰き止め手段（図示せず）を設けることができる。
【００４０】
上記免疫分析チップにおいては、反応室に抗原および／または抗体が結合した担体が収容されている。抗原、抗体、担体等の定義は既に述べたとおりである。抗原および／または抗体が結合した担体を、チップ本体の反応室に収納する方法は、例えば以下のようにして行うことができる。すなわち、抗原および／または抗体が結合したビーズを界面活性剤および／またはブロッキング剤などを含有する緩衝液で懸濁し、この懸濁液を、チップ本体の検体・試薬リザーバに注いだ後に、チップ本体を遠沈管に挿入し遠心機にかけて１０秒〜１分遠心する。
【００４１】
反応室には、免疫分析のための検体や試薬が送り込まれる。検体についてはすでに説明したとおりである。試薬とは、免疫分析の際に用いられる検体以外の化学物質や薬剤を意味する。例えば、被検物質の標識等のための薬剤、物質、洗浄液などであり、更に具体的には、蛍光や酵素で標識された標識抗体（二次抗体）、抗原、洗浄液、蛍光基質等を挙げることができる。
【００４２】
上記免疫分析チップは、試薬・検体リザーバを備えるものであってもよい。これにより、直接反応室に試薬や検体を送り込む場合に比べて操作が容易である。すなわち、試薬や検体を試薬・検体リザーバに保持してから遠心機にかけるだけで反応を行うことができ、かつ、反応室をより狭い管状として、担体の収納密度を向上させて免疫分析の効率を高めることができる。
【００４３】
図１の免疫分析チップＡは、反応室１１に連結して試薬・検体リザーバ１２が設けられており、試薬・検体リザーバ１２は外部に開口部１２Ａを有する。また、図５及び図６の免疫分析チップＥでも、同様に、試薬・検体リザーバ１２が反応室１１に連結して設けられている。
【００４４】
前記試薬・検体リザーバの容積（サイズ）は、前記反応室のそれよりも大きいことが好ましい。反応室がリザーバに比べて十分小さいことにより、被検物質の濃縮効果があるからであり、さらにリザーバに試薬や検体を保持させることが容易となるからである。具体的には例えば、試薬・検体リザーバの反応室に対する容積比が通常は１００以上で、中でも１００〜５×１０8の範囲で、特に１００〜３０００の範囲で、適宜定められることが好ましい。ディスク上に分析機構を集積化させた従来技術では約１５倍程度が限界であることから、上述の範囲とすることにより、被検物質の濃縮効果が、従来技術と比較して非常に大きいものとなる。
尚、試薬・検体リザーバの容積は、一般には３０μＬ〜５００ｍＬであり、好ましくは３０μＬ〜１０００μＬ（１ｍＬ）である。
【００４５】
一方、前記試薬・検体リザーバの送液方向の投影断面積（送液方向と垂直な面に投影したときの面積）と、前記反応室の送液方向の投影断面積の比は、通常は５０以上であり、好ましくは１００以上である。また、上限は、一般には１００００以下とする。ディスク上に分析機構を集積化させた従来技術の場合、装置全体が２次元構造であるためにリザーバと反応室の送液方向の投影断面積比がせいぜい１０数倍程度までしか差を着けられないが、立体構造である本発明のチップの場合には、同面積比を拡大し、被検物質の濃縮効率を著しく向上させることができる。
【００４６】
さらに、前記試薬・検体リザーバの送液方向に対して平行の最大断面積と、前記反応室の送液方向に対して平行の最大断面積の比は、被検物質の濃縮効果を得る観点から、２〜４００であることが好ましい。尚、試薬・検体リザーバの送液方向に対して平行の最大断面積は、１０ｍｍ2〜２００ｍｍ2とすることが好ましい。また、反応室の送液方向に対して平行の最大断面積は、０．５ｍｍ2〜５ｍｍ2とすることが好ましい。
【００４７】
試薬・検体リザーバの形状は特に限定されず、円筒形、多角形などの各種形状から適宜選択することができるが、遠心力で試薬や検体を反応室へ円滑に送り込む観点から、横断面の面積が、反応室への接続側に向かってが徐々に狭くなる形状であることが好ましい。例えば、図１に示す免疫分析チップＡにおける試薬・検体リザーバ１２の形状は、基本的には直方体であり、反応室１１側の４つの隅の角が丸みを帯びた形状となっている。一方、図２、図３および図４のそれぞれに示す免疫分析チップＢ，Ｃ，Ｄにおける試薬・検体リザーバ１２の形状も、基本的には直方体であり、４つの側面が反応室側で反応室に向けて絞られている。図５および図６の免疫分析チップＥの試薬・検体リザーバ１２の形状も図２〜図４に示す実施例と同様である。
【００４８】
試薬・検体リザーバは反応室に直接接続しており、反応室と反対側に開口部（第１の開口部）を有する。外部への開口部の形状は特に問わないが、注入した試薬や検体が外に漏出しない程度の大きさで適宜定めることができる。例えば短径が１ｍｍ〜１００ｍｍ、好ましくは１〜２０ｍｍの範囲となるよう適宜定めることができる。
【００４９】
上記免疫分析チップにおいては更に、廃液槽を備えるものであってもよい。廃液槽を備えることにより、遠心機に廃液が飛散することを防ぐことができる。廃液槽は、反応室と、その第２の開口部で接続される。前述のように第２の開口部に堰き止め手段を設ける場合には、廃液槽は堰き止め手段の先に接続される。
本発明において廃液槽は、廃液を蓄積できる空間であればよい。例えば、図１〜図４に示すような遠沈管内部に挿入嵌合が可能なタイプの免疫分析チップの場合、図８のように遠沈管に装着した際に遠沈管ＧとチップＨとの間に形成される空間が廃液槽１６となりうる。一方、図１〜４中には図示しないが、第２の開口部１１Ａに何らかの袋或いは容器を装着して廃液槽とすることも可能である。
また、図５および図６に示すような、アングルローターやスイングローターにそのまま装着できるタイプの免疫分析チップの場合には、チップ内に廃液槽１６を設けることができる。
【００５０】
また、上記の免疫分析チップのうち、遠沈管内部に挿入嵌合が可能なチップの場合には、その外壁に突出部が更に設けられていてもよい。突出部を設けることにより、チップを遠沈管に嵌合させる際に、遠沈管壁面に前記突出部が接触した状態で嵌合させて、遠沈管の底部に前述したような廃液槽としてのスペースを確保することができる。また、チップの遠沈管からの取り出しを容易にすることができる。さらに、チップを遠沈管から取り出す際に、廃液を遠沈管に残した状態でチップのみを取り出して分析することができるので、廃液由来の測定ノイズの影響を無くすことができる。
【００５１】
突出部はチップの外壁に設けられるものであればよく、その形状や位置は特定されない。チップを遠沈管に納めた際に遠沈管の内壁面の任意の点又は面で固定されるような位置および形状を、適宜定めることができる。遠沈管の内壁面における固定の態様としては、例えばチップが懸垂して固定される態様、チップが遠沈管底部に足場を介して底上げされる態様が挙げられる。
【００５２】
例えば突出部はチップの側面に設けて、遠沈管の内壁面と突出部との接点又は接面によりチップを懸垂させて固定することができる。具体的には、前記試薬・検体リザーバの開口部の周囲に垂直方向に突出した耳を設けることができる。図４の免疫分析チップＤでは、開口部１２Ａの周囲に耳１４Ａが設けられている。耳の形状及びサイズは、遠沈管のサイズとの関係で適宜定めることができる。
【００５３】
また、突出部をチップの底面に設けて、遠沈管の底面まで延伸させてチップを固定することができる。具体的には、前記試薬・検体リザーバの底面から延伸する足を設けることができる。図７の免疫分析チップＦでは、チップ底面からチップの延伸する２本の足１４Ｂが設けられている。遠沈管に免疫分析チップＦを装着した場合、２本の足１４Ｂにより底上げがなされ、遠沈管底面とチップとの間（主に足１４Ｂの間の空間１４Ｃ）が廃液槽として確保される。
【００５４】
前記免疫分析チップのうち、遠沈管内部に嵌合するタイプのチップの場合には、その後の操作の便宜から、遠沈管から取り外し可能に嵌合することが好ましい。
【００５５】
前記の免疫分析チップの、チップ本体のサイズおよび形状は、そのタイプにより適切なサイズを定めることができる。
すなわち、遠沈管に着脱自在に嵌合するタイプのチップの場合、チップ本体のサイズは、上述したように遠沈管内部に挿入嵌合可能とすることを考慮して定めることができる。一般的に用いられる遠沈管のサイズは、短径８〜４０ｍｍ、高さ５〜１２０ｍｍであるので、これを考慮すると、例えば、チップ本体の短径は通常６〜４０ｍｍ、高さは通常５〜１２０ｍｍの範囲で定めることが出来る。遠沈管として好ましく用いることができるエッペンドルフチューブのように、容積が０．５ｍｌ〜２．５ｍｌの小型の遠沈管を用いる場合は、そのサイズが、８〜１０ｍｍであるので、これを考慮すると、チップ本体のサイズは、短径は通常６〜１０ｍｍ、高さは通常５〜３０ｍｍ、より好ましくは５〜１５ｍｍの範囲で定めることができる。一方、遠心分離機のアングルローターやスイングローターの遠沈管装着部位にそのまま装着できるタイプのチップの場合には、装着先の遠心分離機のローターのサイズに合わせたサイズであればよい。
【００５６】
また、前記の免疫分析チップのチップ本体の形状も、成形の容易さも考慮して定めることができる。例えば遠沈管に着脱自在に嵌合するタイプのチップの場合、三角柱、四角柱などの多角柱形、円柱形、角錐形、円錐形などから選択することができる。図１〜図４に示す実施例においては、いずれも立方体形状である。一方、遠心分離機のアングルロータやスイングロータの遠沈管装着部位にそのまま装着できるタイプのチップの場合には、装着先の遠心分離機のロータのサイズに合わせた形状、すなわち遠沈管と同様の形状であればよい。
【００５７】
免疫分析チップの材料は特に限定されず、例えば、樹脂、ガラスなどが挙げられる。特に、反応室を外部から観察することが容易になる観点から、少なくとも反応室の一部が透明であることが好ましい。反応室の少なくとも一部が透明とすることにより、より濃縮された被検物質を容易に検出することができる。したがって、反応室の一部に透明材料を用いることが好ましく、特に全体を透明材料から形成することが好ましい。また、反応室の透明材料からなる部分の表面は、平面であってもよいし、レンズ状（凹面）であってもよい。
【００５８】
透明材料としては、各種有機材料、無機材料を挙げることができ、例えば、ポリメチルメタクリル酸メチル（ＰＭＭＡ）、ポリカーボネート、ポリプロピレン、ポリエチレン、ポリメチルペンテン、ポリスチレン、ポリテトラフルオロエチレン、ＡＢＳ樹脂、ポリジメチルシロキサン、シリコン等の樹脂、それらの高分子化合物を含む共重合体あるいは複合体；石英ガラス、パイレックス（登録商標）ガラス、ソーダガラス、ホウ酸ガラス、ケイ酸ガラス、ホウケイ酸ガラス等のガラス類およびその複合体；表面を絶縁材料で被覆した金属及びその複合体、セラミックス及びその複合体等が好ましく用いられる。このうち、ポリメチルメタクリル酸メチル（ＰＭＭＡ）が特に好ましく用いられる。
【００５９】
また、本発明の分析装置において、被検物質の溶液が接触する表面（すなわち、上述の免疫分析チップの場合、反応室、試薬・検体リザーバの内表面）は、被検物質の非特異的吸着を抑制する吸着抑制処理が施されていることが好ましい。吸着抑制処理の方法は、親水性高分子材料を静電的に表面に吸着させるコーティング処理、高エネルギー線を照射し、親水性高分子を樹脂表面に共有結合させて強固に固定化する方法などが用いられる。
【００６０】
以下、本発明の免疫分析方法において、抗原および／または抗体が結合した担体を収容した反応室を有する分析装置を、前記分析装置外の回転軸に対して公転させることにより、検体および試薬を前記反応室に送液して、前記反応室内の被検物質量を測定する手順（１回ごとの測定結果を得るための手順）を、前記免疫分析チップを用いてＥＬＩＳＡ法によりサイトカインを分析する場合を例にとって図９を参照しつつ説明する。免疫分析チップの反応室には、サイトカインの１次抗体吸着ビーズが収納されている。
【００６１】
本発明の免疫分析方法は、前記免疫分析チップを用いて実施する場合、一つの遠心力での測定につき、以下のようにして実施することができる。以下、図９を利用して説明する。
【００６２】
本発明の工程（Ｉ）を、（ａ）および（ｂ）の２工程により実施する場合には、以下のようにして行う。
工程（ａ）については、まず、検体・試薬リザーバに検体を注入（図９の（１））した後、検体を遠心力により反応室に移送し（図９の（２））ビーズ上の１次抗体と抗原抗体反応させる（図９の（３））。すなわち、検体注入後の免疫分析チップを遠沈管に挿入し、この遠沈管を遠心機にセットして、回転させる。この処理により、遠心力により検体が検体・試薬リザーバから反応室に移送されると同時に反応が行われる。
【００６３】
続いて、工程（ｂ）においては、基質を検体・試薬リザーバに注入した後（図９の（１））、この基質を同様に遠心力により反応室に移送し（図９の（２））、ビーズ上の二次抗体と反応させる（図９の（３））。すなわち、上記検体の移送において、検体を基質に代えたほかは同様にして遠心処理を行う。
【００６４】
続いて、工程（ｂ）の後、遠沈管からチップを取り出して、あるいはチップを遠沈管に挿入したまま、反応室内の蛍光強度を蛍光検出装置（蛍光顕微鏡など）により測定する。被検物質が検体中のサイトカインの有無検出の場合は、蛍光強度が測定可能な場合には、検体中にサイトカインが存在することが確認される。一方、検体中のサイトカインの定量を目的とした免疫分析の場合には、予めサイトカインの濃度を変えて同様に測定して作成しておいた検量線と比較して、サイトカインの濃度を特定する。
一方、本発明の工程（Ｉ）を、工程（Ａ）、前記チップを公転させることにより生じる遠心力を用いて検体・試薬を、被検物質を前記抗原および／または抗体が結合した担体に結合せしめる工程のみで実施する場合には、上述の工程（ａ）の説明において、検体に代えて検体に標識抗体などを添加した液体を注入することにより実施することができる。
【００６５】
ここまで説明したように、本発明の免疫分析方法を、上述の免疫分析チップを用いる場合の操作は、図９に示すように（１）検体・試薬の導入、（２）遠心力による送液、（３）ビーズ部におけるＥＬＩＳＡの各反応、の３工程を繰り返しにより進めることができる。尚、検体注入後、および基質注入後には、反応室洗浄のため、必要に応じて洗浄液や緩衝液をリザーバに注入し、同様に遠心処理を行ってもよい。本発明においては、このような測定手順を、異なる遠心力により２回以上繰り返して、２以上の被検物質の測定結果を得るものである。
【実施例】
【００６６】
実施例１
（１）１回目の測定
以下のようにして、遠心型ＥＬＩＳＡチップを製作した。図４にチップの横断面図を示す。遠心型ＥＬＩＳＡチップは円筒形のチップ本体からなり、内部に管状の反応室と円筒形で反応室側が絞り形状の検体・試薬リザーバを備え、両者は連結している。検体・試薬リザーバと反応室はそれぞれ外部への開口部を有し、検体・試薬リザーバの開口部には、外部に突出した耳が設けられている。反応室には一次抗体を結合したビーズ担体が充填されるので、その開口部には、ビーズ堰き止め用のフィルタ圧入穴が設けられている。
【００６７】
まず、ポリメチルメタクリレート製の樹脂（クラレ製）を切削加工でチップ本体を製作した。直径φ２ｍｍ、長さ２ｍｍのセルロース・アセテート製フィルタをフィルタ圧入穴より圧入し遠心型ＥＬＩＳＡチップを製作した。
【００６８】
続いて、遠心型ＥＬＩＳＡチップの反応室にビーズ担体を充填した。
ポリスチレンビーズ（Ｐｏｌｙｓｃｉｅｎｃｅ社、粒径：２５μｍ）をリン酸緩衝液で洗浄し、ポリスチレンビーズと同量の０．１μｇ／ｍｌ抗ｈＩＬ−８抗体リン酸緩衝液を添加し、４℃で一晩浸透させた。浸透後、ポリスチレンビーズ２μｌを１５０μｌの０．０５％トゥイーン２０含有リン酸緩衝液で懸濁した。この懸濁物を上記遠心型ＥＬＩＳＡチップのリザーバに注いだ後に、チップを遠沈管（商品名：エッペンマイクロチューブ、メーカー名：エッペンドルフ、サイズ：１．５ｍＬ）に入れ、遠心機にて２０００Ｇで３０秒間遠心した。反応室の容積に対する抗体結合ポリスチレンビーズの密度は、９×１０4個／ｍｍ3であった。
【００６９】
遠心型ＥＬＩＳＡチップのリザーバに、０．０５％トゥイーン２０含有リン酸緩衝液１００μｌを注いで、遠心機にて２０００Ｇで６０秒間遠心し、ビーズを洗浄した。その後、０．２５％ウシ血清アルブミン（ＢＳＡ）、０．０５％トゥイーン２０含有リン酸緩衝液で溶解させたｈＩＬ−８（ヒトインターロイキン−８、鎌倉テクノサイエンス社）５０μｌと、０．２５％ＢＳＡ、０．０５％トゥイーン２０含有リン酸緩衝液で溶解させた０．６μｇ／ｍｌのＨＲＰ（ホースラディッシュペルオキシダーゼ）標識抗ｈＩＬ−８抗体（鎌倉テクノサイエンス社）５０μｌとを混合し、上記チップのリザーバに注入した。そしてチップを５００Ｇで１２０秒間遠心し反応させた。反応後０．０５％トゥイーン２０含有リン酸緩衝液１００μｌを上記リザーバに注入し、チップを２０００Ｇで６０秒間遠心し再びビーズを洗浄した。洗浄後、２０μＭ過酸化水素水、１３μｇ／ｍｌ  Ａｍｐｌｅｘ  Ｒｅｄ（Ｍｏｌｅｃｕｌａｒ  Ｐｒｏｂｅｓ社）を含む０．１Ｍトリス−塩酸緩衝液（ｐＨ７．５）１００μｌをリザーバに注ぎ２０００Ｇで１０秒間遠心して送液した。その後に、チップを遠沈管から出して、反応室内で産生されたレゾルフィンの量を蛍光顕微鏡ＩＸ−７１（オリンパス社）を用いて測定した。各濃度でのｈＩＬ−８の蛍光強度の測定結果を図１０に示す（励起波長５１０−５６０ｎｍ、発光波長５７５−６５０ｎｍ、露光時間０．５秒）。
【００７０】
（２）２回目の測定
（１）と同様の遠心型ＥＬＩＳＡチップの反応室に、（１）と同様にビーズ担体を充填した。
遠心型ＥＬＩＳＡチップのリザーバに、０．０５％トゥイーン２０含有リン酸緩衝液１００μｌを注いで、遠心機にて２０００Ｇで６０秒間遠心し、ビーズを洗浄した。その後、０．２５％ウシ血清アルブミン（ＢＳＡ）、０．０５％トゥイーン２０含有リン酸緩衝液で溶解させたｈＩＬ−８（鎌倉テクノサイエンス社）５０μｌと、０．２５％ＢＳＡ、０．０５％トゥイーン２０含有リン酸緩衝液で溶解させた０．６μｇ／ｍｌのＨＲＰ（ホースラディッシュペルオキシダーゼ）標識抗ｈＩＬ−８抗体（鎌倉テクノサイエンス社）５０μｌとを混合し、上記チップのリザーバに注入した。そしてチップを１００Ｇで６００秒間遠心し反応させた。反応後０．０５％トゥイーン２０含有リン酸緩衝液１００μｌを上記リザーバに注入し、チップを２０００Ｇで６０秒間遠心し再びビーズを洗浄した。洗浄後、２０μＭ過酸化水素水、１３μｇ／ｍｌ  Ａｍｐｌｅｘ  Ｒｅｄ（Ｍｏｌｅｃｕｌａｒ  Ｐｒｏｂｅｓ社）を含む０．１Ｍトリス−塩酸緩衝液（ｐＨ７．５）１００μｌをリザーバに注ぎ２０００Ｇで１０秒間遠心して送液した。その後に、反応室内で産生されたレゾルフィンの量を蛍光顕微鏡ＩＸ−７１（オリンパス社）を用いて測定した。各濃度でのｈＩＬ−８の蛍光強度の測定結果を図１１に示す（励起波長５１０−５６０ｎｍ、発光波長５７５−６５０ｎｍ、露光時間０．５秒）。
【００７１】
（３）３回目の測定
（１）と同様の遠心型ＥＬＩＳＡチップの反応室に、（１）と同様にビーズ担体を充填した。
【００７２】
遠心型ＥＬＩＳＡチップのリザーバに、０．０５％トゥイーン２０含有リン酸緩衝液１００μｌを注いで、遠心機にて２０００Ｇで６０秒間遠心し、ビーズを洗浄した。その後、０．２５％ウシ血清アルブミン（ＢＳＡ）、０．０５％トゥイーン２０含有リン酸緩衝液で溶解させたｈＩＬ−８（鎌倉テクノサイエンス社）５０μｌと、０．２５％ＢＳＡ、０．０５％トゥイーン２０含有リン酸緩衝液で溶解させた０．６μｇ／ｍｌのＨＲＰ（ホースラディッシュペルオキシダーゼ）標識抗ｈＩＬ−８抗体（鎌倉テクノサイエンス社）５０μｌとを混合し、上記チップのリザーバに注入した。そしてチップを２０００Ｇで６０秒間遠心し反応させた。反応後０．０５％トゥイーン２０含有リン酸緩衝液１００μｌを上記リザーバに注入し、チップを２０００Ｇで６０秒間遠心し再びビーズを洗浄した。洗浄後、２０μＭ過酸化水素水、１３μｇ／ｍｌ  Ａｍｐｌｅｘ  Ｒｅｄ（Ｍｏｌｅｃｕｌａｒ  Ｐｒｏｂｅｓ社）を含む０．１Ｍトリス−塩酸緩衝液（ｐＨ７．５）１００μｌをリザーバに注ぎ２０００Ｇで１０秒間遠心して送液した。その後に、反応室内で産生されたレゾルフィンの量を蛍光顕微鏡ＩＸ−７１（オリンパス社）を用いて測定した。各濃度でのｈＩＬ−８の蛍光強度の測定結果を図１２に示す（励起波長５１０−５６０ｎｍ、発光波長５７５−６５０ｎｍ、露光時間０．５秒）。
【００７３】
上記（１）〜（３）のいずれの測定においても、図１０〜図１２に示すような測定範囲で検量線を作成することができた。ここで、図１０の検量線の傾きと、図１１および図１２の各検量線の傾きとから、以下のような考察が可能である。すなわち、測定（１）と測定（２）の測定結果比較から、測定（２）の様に遠心力を小さくするために回転速度を遅くすると検量線の傾きを大きくすることができ、より高感度に測定することが可能となる。また、測定（１）と測定（３）の比較から、測定（３）の様に遠心力を大きくするために回転速度を速くすると検量線の傾きを小さくすることができ、広いレンジで測定することが可能となることが証明された。図１０と図１１では、測定範囲が、その測定上限で１０倍異なる範囲で測定結果を得ることが出来た。図１０と図１２でも、同様に１０倍異なる測定範囲で測定結果を得ることができた。図１１と図１２では、１００倍異なる測定範囲で測定結果を得ることが出来た。
【００７４】
実施例２
（１）１回目の測定
以下のようにして、遠心型ＥＬＩＳＡチップを製作した。図４にチップの横断面図を示す。遠心型ＥＬＩＳＡチップは円筒形のチップ本体からなり、内部に管状の反応室と円筒形で反応室側が絞り形状の検体・試薬リザーバを備え、両者は連結している。検体・試薬リザーバと反応室はそれぞれ外部への開口部を有し、検体・試薬リザーバの開口部には、外部に突出した耳が設けられている。反応室には一次抗体を結合したビーズ担体が充填されるので、その開口部には、ビーズ堰き止め用のフィルタ圧入穴が設けられている。
【００７５】
まず、ポリメチルメタクリレート製の樹脂（クラレ製）を切削加工でチップ本体を製作した。直径φ２ｍｍ、長さ２ｍｍのセルロース・アセテート製フィルタをフィルタ圧入穴より圧入し遠心型ＥＬＩＳＡチップを製作した。
【００７６】
続いて、遠心型ＥＬＩＳＡチップの反応室にビーズ担体を充填した。
ポリスチレンビーズ（Ｐｏｌｙｓｃｉｅｎｃｅ社、粒径：２５μｍ）をリン酸緩衝液で洗浄し、ポリスチレンビーズと同量の０．１μｇ／ｍｌ抗ｈＩＬ−６抗体リン酸緩衝液を添加し、４℃で一晩浸透させた。浸透後、ポリスチレンビーズ２μｌを１５０μｌの０．０５％トゥイーン２０含有リン酸緩衝液で懸濁した。この懸濁物を上記遠心型ＥＬＩＳＡチップのリザーバに注いだ後に、チップを遠沈管（商品名：エッペンマイクロチューブ、メーカー名：エッペンドルフ、サイズ：１．５ｍＬ）に入れ、遠心機にて２０００Ｇで３０秒間遠心した。反応室の容積に対する抗体結合ポリスチレンビーズの密度は、９×１０4個／ｍｍ3であった。
【００７７】
遠心型ＥＬＩＳＡチップのリザーバに、０．０５％トゥイーン２０含有リン酸緩衝液１００μｌを注いで、遠心機にて２０００Ｇで６０秒間遠心し、ビーズを洗浄した。その後、０．２５％ウシ血清アルブミン（ＢＳＡ）、０．０５％トゥイーン２０含有リン酸緩衝液で溶解させたｈＩＬ−６（ヒトインターロイキン−６、鎌倉テクノサイエンス社）５０μｌと、０．２５％ＢＳＡ、０．０５％トゥイーン２０含有リン酸緩衝液で溶解させた０．１μｇ／ｍｌのＨＲＰ（ホースラディッシュペルオキシダーゼ）標識抗ｈＩＬ−６抗体（鎌倉テクノサイエンス社）５０μｌとを混合し、上記チップのリザーバに注入した。そしてチップを５００Ｇで１２０秒間遠心し反応させた。反応後０．０５％トゥイーン２０含有リン酸緩衝液１００μｌを上記リザーバに注入し、チップを２０００Ｇで６０秒間遠心し再びビーズを洗浄した。洗浄後、２００μＭ過酸化水素水、１３μｇ／ｍｌ  Ａｍｐｌｅｘ  Ｒｅｄ（Ｍｏｌｅｃｕｌａｒ  Ｐｒｏｂｅｓ社）を含む０．１Ｍトリス−塩酸緩衝液（ｐＨ７．５）１００μｌをリザーバに注ぎ２０００Ｇで１０秒間遠心して送液した。その後に、チップを遠沈管から出して、反応室内で産生されたレゾルフィンの量を蛍光顕微鏡ＩＸ−７１（オリンパス社）を用いて測定した。各濃度でのｈＩＬ−６の蛍光強度の測定結果を図１３に示す。（励起波長５１０−５６０ｎｍ、発光波長５７５−６５０ｎｍ、露光時間０．５秒）
【００７８】
（２）２回目の測定
（１）と同様の遠心型ＥＬＩＳＡチップの反応室に、（１）と同様にビーズ担体を充填した。
【００７９】
遠心型ＥＬＩＳＡチップのリザーバに、０．０５％トゥイーン２０含有リン酸緩衝液１００μｌを注いで、遠心機にて２０００Ｇで６０秒間遠心し、ビーズを洗浄した。その後、０．２５％ウシ血清アルブミン（ＢＳＡ）、０．０５％トゥイーン２０含有リン酸緩衝液で溶解させたｈＩＬ−６（鎌倉テクノサイエンス社）５０μｌと、０．２５％ＢＳＡ、０．０５％トゥイーン２０含有リン酸緩衝液で溶解させた０．１μｇ／ｍｌのＨＲＰ（ホースラディッシュペルオキシダーゼ）標識抗ｈＩＬ−６抗体（鎌倉テクノサイエンス社）５０μｌとを混合し、上記チップのリザーバに注入した。そしてチップを２００Ｇで６００秒間遠心し反応させた。反応後０．０５％トゥイーン２０含有リン酸緩衝液１００μｌを上記リザーバに注入し、チップを２０００Ｇで６０秒間遠心し再びビーズを洗浄した。洗浄後、２００μＭ過酸化水素水、１３μｇ／ｍｌ  Ａｍｐｌｅｘ  Ｒｅｄ（Ｍｏｌｅｃｕｌａｒ  Ｐｒｏｂｅｓ社）を含む０．１Ｍトリス−塩酸緩衝液（ｐＨ７．５）１００μｌをリザーバに注ぎ２０００Ｇで１０秒間遠心して送液した。その後に、反応室内で産生されたレゾルフィンの量を蛍光顕微鏡ＩＸ−７１（オリンパス社）を用いて測定した。各濃度でのｈＩＬ−６の蛍光強度の測定結果を図１４に示す。（励起波長５１０−５６０ｎｍ、発光波長５７５−６５０ｎｍ、露光時間０．５秒）
【００８０】
（３）３回目の測定
（１）と同様の遠心型ＥＬＩＳＡチップの反応室に、（１）と同様にビーズ担体を充填した。
【００８１】
遠心型ＥＬＩＳＡチップのリザーバに、０．０５％トゥイーン２０含有リン酸緩衝液１００μｌを注いで、遠心機にて２０００Ｇで６０秒間遠心し、ビーズを洗浄した。その後、０．２５％ウシ血清アルブミン（ＢＳＡ）、０．０５％トゥイーン２０含有リン酸緩衝液で溶解させたｈＩＬ−６（鎌倉テクノサイエンス社）５０μｌと、０．２５％ＢＳＡ、０．０５％トゥイーン２０含有リン酸緩衝液で溶解させた０．１μｇ／ｍｌのＨＲＰ（ホースラディッシュペルオキシダーゼ）標識抗ｈＩＬ−６抗体（鎌倉テクノサイエンス社）５０μｌとを混合し、上記チップのリザーバに注入した。そしてチップを２０００Ｇで６０秒間遠心し反応させた。反応後０．０５％トゥイーン２０含有リン酸緩衝液１００μｌを上記リザーバに注入し、チップを２０００Ｇで６０秒間遠心し再びビーズを洗浄した。洗浄後、２００μＭ過酸化水素水、１３μｇ／ｍｌ  Ａｍｐｌｅｘ  Ｒｅｄ（Ｍｏｌｅｃｕｌａｒ  Ｐｒｏｂｅｓ社）を含む０．１Ｍトリス−塩酸緩衝液（ｐＨ７．５）１００μｌをリザーバに注ぎ２０００Ｇで１０秒間遠心して送液した。その後に、反応室内で産生されたレゾルフィンの量を蛍光顕微鏡ＩＸ−７１（オリンパス社）を用いて測定した。各濃度でのｈＩＬ−６の蛍光強度の測定結果を図１５に示す。（励起波長５１０−５６０ｎｍ、発光波長５７５−６５０ｎｍ、露光時間０．５秒）
【００８２】
上記（１）〜（３）のいずれの測定においても、図１３〜図１５に示すような測定範囲で検量線を作成することができた。ここで、図１３の検量線の傾きと、図１４および図１５の各検量線の傾きとから、以下のような考察が可能である。すなわち、測定（１）と測定（２）の測定結果比較から、測定（２）の様に遠心力を小さくするために回転速度を遅くすると検量線の傾きを大きくすることができ、より高感度に測定することが可能となる。また、測定（１）と測定（３）の比較から、測定（３）の様に遠心力を大きくするために回転速度を速くすると検量線の傾きを小さくすることができ、広いレンジで測定することが可能となることが証明された。図１３と図１４では、測定範囲が、その測定上限で４倍異なる範囲で測定結果を得ることが出来た。図１３と図１５でも５倍異なる測定範囲で測定結果を得ることができた。図１４と図１５では、２０倍異なる測定範囲で測定結果を得ることが出来た。
【図面の簡単な説明】
【００８３】
【図１】図１は、本発明で用いる分析装置の一例を模式的に示す斜視図である。
【図２】図２は、本発明で用いる分析装置の一例を模式的に示す縦断面図である。
【図３】図３は、本発明で用いる分析装置の一例を模式的に示す縦断面図である。
【図４】図４は、本発明で用いる分析装置の一例を模式的に示す上面図および縦断面図である。
【図５】図５は、本発明で用いる分析装置の一例を模式的に示す縦断面図である。
【図６】図６は、本発明で用いる分析装置の一例を模式的に示す上面図および縦断面図である。
【図７】図７は、本発明で用いる分析装置の一例を模式的に示す縦断面図である。
【図８】図８は、本発明で用い得る分析装置を遠沈管に挿入した状態を模式的に示す斜視図である。
【図９】図９は、本発明の分析方法の手順の一例を示す説明図である。
【図１０】図１０は、実施例１の（１）の結果を示す図である。
【図１１】図１１は、実施例１の（２）の結果を示す図である。
【図１２】図１２は、実施例１の（３）の結果を示す図である。
【図１３】図１３は、実施例２の（１）の結果を示す図である
【図１４】図１４は、実施例２の（２）の結果を示す図である。
【図１５】図１５は、実施例２の（３）の結果を示す図である。
【符号の説明】
【００８４】
１１  反応室
１１Ａ、１１Ａ´  開口部
１２  検体・試薬リザーバ
１２Ａ  開口部
１３  抗原および／または抗体が結合した担体
１４Ａ  耳
１４Ｂ  足
１４Ｃ  空間
１５  免疫分析チップの側面の角
１６  廃液槽
Ａ〜Ｄ，Ｅ，Ｆ，Ｈ  免疫分析チップ
Ｇ  遠沈管
【図１】
0005407150.tif 000002
【図２】
0005407150.tif 000003
【図３】
0005407150.tif 000004
【図４】
0005407150.tif 000005
【図５】
0005407150.tif 000006
【図６】
0005407150.tif 000007
【図７】
0005407150.tif 000008
【図８】
0005407150.tif 000009
【図９】
0005407150.tif 000010
【図１０】
0005407150.tif 000011
【図１１】
0005407150.tif 000012
【図１２】
0005407150.tif 000013
【図１３】
0005407150.tif 000014
【図１４】
0005407150.tif 000015
【図１５】
0005407150.tif 000016